(57)【要約】      （修正有）【課題】アンテナの組立を容易かつ確実に行えるアンテナ組立用治具を提供する。【解決手段】円筒状の支持部１５と、支持部１５を中心として周方向に等間隔に配置される３つの脚体１６とを備えるベース部材１１と、アンテナの基台が着脱自在且つ回転自在に嵌合可能な円筒状に形成する。さらに、支持部１５に着脱自在に嵌め合わされてベース部材１１に起立支持される支柱２０と、支柱２０の外周面に周方向に等間隔に配置され、それぞれ一端側において支柱２０の外周面に回動自在に連結されるとともに、他端側において該他端側に設けられる取付け孔に挿通される取付けねじ２５によりベース部材１１に設けられた支持片２４に着脱自在に連結される３つの支持アーム２１と、支柱２０の外周面に周方向に等間隔に設けられ、支柱２０がベース部材１１から取り外されたときに、支持アーム２１の中間部でねじ結合して支持アーム２１を支柱２０に保持させる３つの保持片２８とを設ける。【選択図】図１
0003183136.tif 000002
【実用新案登録請求の範囲】
【請求項１】
円筒状の基台の外周に複数のロッド状アンテナ部材が互いに平行且つ周方向に等間隔に固定されて成るアンテナの組み立てに用いられるアンテナ組立用治具であって、
円筒状の支持部と、該支持部を中心として周方向に等間隔に配置される３つの脚体とを備えるベース部材と、
前記アンテナの基台が着脱自在且つ回転自在に嵌合可能な円筒状に形成され、前記支持部に着脱自在に嵌め合わされて前記ベース部材に起立支持される支柱と、
前記支柱の外周面に周方向に等間隔に配置され、それぞれ一端側において前記支柱の外周面に回動自在に連結されるとともに、他端側において該他端側に設けられる取付け孔に挿通される取付けねじにより前記ベース部材に設けられた支持片に着脱自在に連結される３つの支持アームと、
前記支柱の外周面に周方向に等間隔に設けられ、前記支柱が前記ベース部材から取り外されたときに、前記支持アームの中間部に設けられる保持用孔に挿通された前記取付けねじにねじ結合して前記支持アームを前記支柱に保持させる３つの保持片と、を有することを特徴とするアンテナ組立用治具。
【請求項２】
前記ベース部材は等辺山形鋼を三角形状に組んだ枠体を備え、３つの前記脚体と３つの前記支持片とが、それぞれ前記支持部の軸心と前記枠体の角部とを結ぶ直線上に配置される請求項１に記載のアンテナ組立用治具。
【請求項３】
前記ベース部および前記支柱にそれぞれ取っ手が設けられる請求項１または２に記載のアンテナ組立用治具。
【請求項４】
前記脚体の前記ベース部材からの突出量が調整可能である請求項１〜３のいずれか１項に記載のアンテナ組立用治具。
【考案の詳細な説明】
【技術分野】
【０００１】
本考案は、携帯電話等の移動端末用の基地局に設けられるアンテナを組み立てる際に用いられるアンテナ組立用治具に関する。
【背景技術】
【０００２】
ビルの屋上や電柱等に設置される携帯電話等の移動端末用の基地局には、移動端末との通信を行うためのアンテナが設けられる。従来から、このような基地局に設けられるアンテナとしては、円筒状の基台に複数本のアンテナアームを放射状に固定するとともに、これらのアンテナアームの先端に４本または８本のロッド状アンテナ部材を互いに平行且つ周方向に等間隔に固定して成る多回線型のアンテナが知られている（例えば特許文献１参照）。
【０００３】
このようなアンテナは、通常、基地局を設置する際に当該基地局を設置する現場において組み立てられる。この組立て作業は、円筒状の基台の上面に複数のアンテナアームを放射状に固定し、これらのアンテナアームの先端にロッド状アンテナ部材を互いに平行且つ周方向に等間隔に固定するとともに、各ロッド状アンテナ部材の下端に配線を接続することにより行われる。
【先行技術文献】
【特許文献】
【０００４】
【特許文献１】特開２０１１−６９６４４号公報
【考案の概要】
【考案が解決しようとする課題】
【０００５】
しかしながら、従来、アンテナの組立て作業を行う際に特定の治具は用いられておらず、当該組立て作業は仮設の台などの上で行われていた。そのため、その組立て作業中のアンテナは不安定な状態となり、転倒防止のためにアンテナを保持しながら作業を行う必要がある。また、各アンテナアームにロット状アンテナ部材を固定する際には、作業者が基台の周りを移動する必要がある。このように、仮設の台を用いた組立て作業では、その作業性は低く、施工に時間がかかるという問題があった。
また、仮設の台では、現場が傾斜している場合に基台を水平に配置することができず、そのため、ロッド状アンテナ部材を垂直に固定する作業が困難となり、完成したアンテナの品質が低下するという問題もあった。
【０００６】
本考案は、従来技術が抱えるこのような問題を解決することを課題とするものであり、その目的とするところは、アンテナの組立て作業を容易かつ確実に行うことを可能とするアンテナ組立用治具を提供することにある。
【課題を解決するための手段】
【０００７】
本考案のアンテナ組立用治具は、円筒状の基台の外周に複数のロッド状アンテナ部材が互いに平行且つ周方向に等間隔に固定されて成るアンテナの組み立てに用いられるアンテナ組立用治具であって、円筒状の支持部と、該支持部を中心として周方向に等間隔に配置される３つの脚体とを備えるベース部材と、前記アンテナの基台が着脱自在且つ回転自在に嵌合可能な円筒状に形成され、前記支持部に着脱自在に嵌め合わされて前記ベース部材に起立支持される支柱と、前記支柱の外周面に周方向に等間隔に配置され、それぞれ一端側において前記支柱の外周面に回動自在に連結されるとともに、他端側において該他端側に設けられる取付け孔に挿通される取付けねじにより前記ベース部材に設けられた支持片に着脱自在に連結される３つの支持アームと、前記支柱の外周面に周方向に等間隔に設けられ、前記支柱が前記ベース部材から取り外されたときに、前記支持アームの中間部に設けられる保持用孔に挿通された前記取付けねじにねじ結合して前記支持アームを前記支柱に保持させる３つの保持片と、を有することを特徴とする。
【０００８】
本考案のアンテナ組立用治具は、上記構成において、前記ベース部材は等辺山形鋼を三角形状に組んだ枠体を備え、３つの前記脚体と３つの前記支持片とが、それぞれ前記支持部の軸心と前記枠体の角部とを結ぶ線上に配置されるのが好ましい。
【０００９】
本考案のアンテナ組立用治具は、前記ベース部および前記支柱にそれぞれ取っ手が設けられるのが好ましい。
【００１０】
本考案のアンテナ組立用治具は、前記脚体の前記ベース部材からの突出量が調整可能であるのが好ましい。
【考案の効果】
【００１１】
本考案によれば、アンテナ組立用治具の支柱の上端にアンテナの基台を嵌合させることにより、アンテナ組立用治具により基台を支持することができるので、作業中にアンテナを安定させて、その組立作業を容易にすることができる。また、支柱を中心として基台を回転させることができるので、基台に対する複数のロッド状アンテナ部材の固定作業を、作業者が移動することなく基台を回転させて容易に行うことができる。さらに、基台は支柱の上端に支持されることにより組立て作業が行い易い高さとされるので、ロッド状アンテナ部材の固定作業や、その下端への配線の接続作業を容易にすることができる。したがって、アンテナの組立て作業を容易かつ確実に行うことを可能とするアンテナ組立用治具を提供することができる。
【００１２】
また、本考案のアンテナ組立用治具はベース部材と支柱とに容易に分解することができるので、その持ち運びが容易である。また、分解された支柱を持ち運ぶ際には、支持アームをベース部材の支持片に連結するための取付けねじを用いて、当該支持アームを支柱の外周面に設けられた保持片に保持させることができるので、支柱の持ち運びを容易にすることができるとともに、取付けねじを共用化して部品点数を低減し、さらに取付けねじの紛失を防止することができる。
【００１３】
また、本考案のアンテナ組立用治具は、ベース部材に設けた支持部に支柱を嵌め合わす簡素な構成であるので、そのコストを低減することができる。
【００１４】
本考案によれば、上記構成に加えて、ベース部材を、等辺山形鋼を三角形状に組んだ枠体で構成するようにしたので、ベース部材を簡素な構成としてこのアンテナ組立用治具のコストを低減することができる。また、３つの脚体と３つの支持片とを、それぞれ支持部の軸心と枠体の角部とを結ぶ直線上に配置することにより、小型のベース部材で支柱を確実に支持させることができるので、このアンテナ組立用治具を小型化することができる。
【００１５】
本考案によれば、上記構成に加えて、ベース部および支柱にそれぞれ取っ手を設けるようにしたので、分解後のベース部材および支柱を容易に持ち運ぶことができる。
【００１６】
本考案によれば、上記構成に加えて、脚体のベース部材からの突出量を調整可能としたので、現場の傾斜等に合わせて脚体のベース部材からの突出量を調整して、このアンテナ組立用治具により支持される基台を水平に配置することができる。これにより、基台へのロッド状アンテナ部材の固定作業において、その垂直を出し易くすることができる。また、作業者の身長に合わせて基台の高さを調整することができるので、このアンテナ組立用治具を用いた組立て作業をさらに容易にすることができる。
【図面の簡単な説明】
【００１７】
【図１】本考案の一実施の形態であるアンテナ組立用治具の斜視図である。
【図２】本考案のアンテナ組立用治具により組み立てられるアンテナを示す図である。
【図３】図１に示すアンテナ組立用治具の平面図である。
【図４】アンテナ組立用治具を分解した状態を示す図である。
【図５】ベース部材から取り外された支柱を示す図である。
【図６】図１に示すアンテナ組立用治具を用いてアンテナの組み立て作業を行う状態を示す図である。
【考案を実施するための形態】
【００１８】
以下、本考案の実施の形態を図面に基づいて詳細に例示説明する。
【００１９】
図１に示す本考案の一実施の形態であるアンテナ組立用治具１は、例えばビルの屋上や電柱の先端等に、携帯電話や携帯情報端末（ＰＤＡ）等の移動端末の基地局を設置する際に、その基地局に設けられるアンテナを、その基地局を設置する現場で組み立てる際に用いられるものである。
【００２０】
図２に示すように、このアンテナ組立用治具１により組み立てられるアンテナ２は、携帯電話や携帯情報端末（ＰＤＡ）等の移動端末の基地局３に設けられるものである。このアンテナ２は鋼材等により円筒状に形成される基台４を備え、この基台４の上面には４本のアンテナアーム５が放射状に固定され、それぞれのアンテナアーム５の先端にはロッド状アンテナ部材６が垂直に固定されている。これにより、アンテナ２は基台４の外周に４本のロッド状アンテナ部材６が互いに平行且つ周方向に等間隔に配置された多回線型４本アンテナに構成されている。基台４は、各ロッド状アンテナ部材６の軸方向が鉛直となるように、ビルの屋上や電柱等に設けられた取付け支柱７の先端に固定される。各ロッド状アンテナ部材６の下端にはそれぞれコネクタ８を介して配線９が接続され、これらの配線９により各ロッド状アンテナ部材６は基地局３の通信機器１０に接続されている。なお、このアンテナ２を構成するロッド状アンテナ部材６としては、例えば、ゲイン利得が１２ｄＢｉのコーリニアアンテナを用いることができる。
【００２１】
本実施の形態においては、本考案のアンテナ組立用治具１により組み立てられるアンテナ２として、４本のロッド状アンテナ部材６を備えたもの例示しているが、例えば８本のロッド状アンテナ部材６を備えた多回線型８本アンテナの組み立て作業に本考案のアンテナ組立用治具１を用いることもできる。
【００２２】
次に、本考案のアンテナ組立用治具１の詳細について説明する。図１、図３および図４に示すように、このアンテナ組立用治具１はベース部材１１を備えている。
【００２３】
ベース部材１１は所定の長さに切断された３本の等辺山形鋼（アングル）１２を三角形状に組んで形成された枠体１３を備えている。この枠体１３には、その三角形状の各頂部から重心に向けて３枚の板材１４が溶接等の手段により固定されており、枠体１３の重心部分にはこれらの板材１４により支持されて支持部１５が設けられている。この支持部１５は、例えば鋼管等により円筒状に形成されており、その軸方向の一端側を板材１４に当接させるとともに他端側を上方に向けて配置されている。
【００２４】
本実施の形態においては、ベース部材１１を等辺山形鋼を三角形状に組んだ枠体１３で構成するようにしたので、ベース部材１１を簡素な構成としてこのアンテナ組立用治具１のコストを低減することができる。
【００２５】
枠体１３の各角部には、それぞれ脚体１６が取り付けられている。このように、各脚体１６は、それぞれ枠体１３の各角部に互いに支持部１５の軸心を中心として周方向に等間隔に配置されている。各脚体１６は、それぞれパッド部１６ａと、パッド部１６ａの軸心に取り付けられた雄ねじ部１６ｂとを備えている。一方、枠体１３の各角部には、それぞれ図示しない貫通孔が設けられるとともに、これらの貫通孔に合わせてナット１７が固定されている。各脚体１６は、それぞれ対応する角部に固定されたナット１７に雄ねじ部１６ｂをねじ結合することにより、枠体１３に当該枠体１３の下面側に突出した状態で取り付けられる。各脚体１６の枠体１３つまりベース部材１１からの突出量は、雄ねじ部１６ｂのナット１７へのねじ込み量を調整することにより変更することができる。
【００２６】
ベース部材１１の支持部１５には支柱２０が取り付けられている。この支柱２０は例えば鋼管等により支持部１５よりも軸方向寸法が長く、且つ、支持部１５の内径寸法よりも僅かに大きい外径寸法を有する円筒状に形成されている。支柱２０はベース部材１１の支持部１５の内側に着脱自在に嵌合可能となっており、支持部１５に支柱２０が嵌め合わされると、支柱２０の外周面が支持部１５の内周面に接して、支柱２０は支持部１５つまりベース部材１１に確実に起立支持されるようになっている。
【００２７】
また、支柱２０の外径寸法は、アンテナ２の基台４の内径寸法よりも僅かに大きくなっている。これにより、アンテナ２の基台４を、支柱２０の上端に着脱自在、且つ、その軸心を中心として回転自在に嵌合させることができる。
【００２８】
支柱２０の外周面には周方向に等間隔に３つの支持アーム２１が設けられている。支柱２０の外周面には周方向に等間隔に３つの連結片２２が固定されており、各支持アーム２１は、その長手方向の一端側において対応する連結片２２にピン部材２３により回動自在に連結されている。
【００２９】
図４に示すように、支持アーム２１の他端側には２つの取付け孔２１ａが長手方向に沿って並べて設けられている。一方、図１に示すように、ベース部材１１の各角部には、それぞれ支持片２４が固定され、これらの支持片２４にはそれぞれ取付け孔２１ａに対応した２つのねじ孔２４ａが設けられている。支持アーム２１の他端側は、取付け孔２１ａに挿通された２つの取付けねじ２５を、支持片２４のねじ孔２４ａにねじ結合させることにより、ベース部材１１の支持片２４に着脱自在に連結される。支持アーム２１の他端側がベース部材１１の支持片２４に連結されることにより、支柱２０は支持部１５に加えて３つの支持アーム２１によってもベース部材１１に確実に起立支持される。
【００３０】
なお、支持片２４はねじ孔２４ａを有する構成に代えて、貫通孔の開口に取付けねじ２５にねじ結合可能なナットを固定した構成とすることもできる。
【００３１】
ここで、ベース部材１１に設けられる３つの脚体１６と支持片２４とは、それぞれ支持部１５の軸心つまり枠体１３の重心と、枠体１３の各角部とを結ぶ直線上に配置されている。これにより、脚体１６のベース部材１１の重心からの距離を最大限に大きくしてベース部材１１の安定性を最大限に高めることができる。また、支持片２４のベース部材１１の重心からの距離を最大限に大きくして、この支持片２４に連結された支持アーム２１が支柱２０の軸方向に対して成す角度を最大限に大きくして、限られた大きさのベース部材１１により支柱２０を最大限確実に支持させることができる。
【００３２】
図４に示すように、このアンテナ組立用治具１は、支持アーム２１をベース部材１１の支持片２４に連結する取付けねじ２５を取り外すことにより、ベース部材１１から支柱２０を取り外して、ベース部材１１と支柱２０とに２分割することができる。このように、本考案のアンテナ組立用治具１は、ベース部材１１と支柱２０とに分解可能であるので、その持ち運びは容易である。
【００３３】
図１、図３に示すように、ベース部材１１の枠体１３の外側面には丸棒によりコの字状に形成された取っ手２６が固定され、支柱２０の外周面には、同様に、丸棒によりコの字状に形成された取っ手２７が固定されている。ベース部材１１と支柱２０には、それぞれ取っ手２６，２７が設けられるので、分解後のベース部材１１および支柱２０を、取っ手２６，２７を持つことでさらに容易に持ち運ぶことができる。
【００３４】
また、支柱２０の外周面には、連結片２２に対して軸方向にずれた位置において、周方向に等間隔に３つの保持片２８が固定されている。これらの保持片２８には、ベース部材１１の支持片２４と同様に、取付けねじ２５がねじ結合可能な２つのねじ孔２８ａが支柱２０の軸方向に沿った方向に並べて設けられている。一方、支持アーム２１の長手方向の中間部には、保持片２８のねじ孔２８ａに対応した２つの保持用孔２１ｂが長手方向に並べて設けられている。
【００３５】
なお、保持片２８は、支持片２４と同様に、ねじ孔２８ａを有する構成に代えて、貫通孔の開口に取付けねじ２５にねじ結合可能なナットを固定した構成とすることもできる。
【００３６】
取付けねじ２５を取り外して支柱２０をベース部材１１から取り外した後、図５に示すように、支柱２０に連結される３本の支持アーム２１をそれぞれ支柱２０の軸方向に対して平行な姿勢とし、支持片２４のねじ孔２４ａから取り外した取付けねじ２５を、その対応する支持アーム２１の保持用孔２１ｂに挿通するとともに支柱２０の保持片２８に設けられたねじ孔２８ａにねじ結合させることにより、支持アーム２１を保持片２８に固定して、支柱２０に対して平行な姿勢に保持させることができる。支持アーム２１を支柱２０に保持させることにより、ベース部材１１から取り外された支柱２０の運搬する際に、支持アーム２１が邪魔にならないようにして、その運搬をさらに容易にすることができる。また、この構成では、支持アーム２１を支柱２０に保持させるための取付けねじ２５と、支持アーム２１をベース部材１１の支持片２４に連結するための取付けねじ２５とを共用化するようにしているので、部品点数を低減して、このアンテナ組立用治具１のコストを低減させるとともに、分解時の取付けねじ２５の紛失を防止することができる。
【００３７】
このようなアンテナ組立用治具１を用いてアンテナ２の組立作業を行う際には、図６に示すように、アンテナ組立用治具１の支柱２０の上端にアンテナ２の基台４を嵌合させ、この状態で組立作業が行われる。このように、アンテナ組立用治具１の支柱２０の上端で基台４を支持することにより、作業中のアンテナ２を安定させて、その組立作業を容易にすることができる。
【００３８】
また、基台４に対して、複数のアンテナアーム５を固定する作業を行う場合や、これらのアンテナアーム５の先端にロッド状アンテナ部材６を固定する作業を行う場合には、支柱２０に対して基台４をその軸心を中心として回転させることができるので、作業者が移動することなく基台４を回転させて当該作業を容易に行うことができる。
【００３９】
さらに、基台４が支柱２０の上端に支持されると、その組立て作業が行い易い高さとなり、アンテナアーム５やロッド状アンテナ部材６の固定作業、ロッド状アンテナ部材６の下端へのコネクタ８（配線９）の接続作業を容易に行うことができる。
【００４０】
このように、アンテナ組立用治具１を用いることにより、アンテナ２の組立て作業を容易かつ確実に行うことができる。したがって、アンテナ組立用治具１を用いることにより、アンテナ２の組立作業の施工時間を大幅に短縮することができる。
【００４１】
また、ベース部材１１に設けられる脚体１６は、そのベース部材１１からの突出量が調整可能とされているので、組立て作業の現場の地面が傾斜し、または整地されていない場合であっても、その傾斜等に合わせて３つの脚体１６のベース部材１１からの突出量を個別に調整して、このアンテナ組立用治具１を水平に保つことができる。これによりこのアンテナ組立用治具１により支持される基台４の上面が水平となるように調整して、ロッド状アンテナ部材６の固定作業において、これらのロッド状アンテナ部材６を基台４に対して正確に垂直に固定することができる。また、脚体１６のベース部材１１からの突出量を調整することにより、作業者の身長に合わせて基台４の高さを調整することもできるので、このアンテナ組立用治具１を用いた組立て作業をさらに容易にすることができる。
【００４２】
本考案は前記実施の形態に限定されるものではなく、その要旨を逸脱しない範囲で種々変更可能であることはいうまでもない。
【００４３】
例えば前記実施の形態においては、ベース部材１１を、３本の等辺山形鋼を三角形状に組んだ枠体１３を備えた構成としたが、これに限らず、例えばベース部材１１を三角形状または他の形状の板材により形成するなど、他の構成とすることもできる。
【符号の説明】
【００４４】
１    アンテナ組立用治具
２    アンテナ
３    基地局
４    基台
５    アンテナアーム
６    ロッド状アンテナ部材
７    取付け支柱
８    コネクタ
９    配線
１０    通信機器
１１    ベース部材
１２    等辺山形鋼
１３    枠体
１４    板材
１５    支持部
１６    脚体
１６ａ  パッド部
１６ｂ  雄ねじ部
１７    ナット
２０    支柱
２１    支持アーム
２１ａ  取付け孔
２１ｂ  保持用孔
２２    連結片
２３    ピン部材
２４    支持片
２４ａ  ねじ孔
２５    取付けねじ
２６    取っ手
２７    取っ手
２８    保持片
２８ａ  ねじ孔
【図１】
0003183136.tif 000003
【図２】
0003183136.tif 000004
【図３】
0003183136.tif 000005
【図４】
0003183136.tif 000006
【図５】
0003183136.tif 000007
【図６】
0003183136.tif 000008